(57)【要約】【課題】本発明は、インク溶剤を吸収しない紙への捺印、特に円筒形のケースに張られた前記紙への捺印を容易に行えるスタンプを提供することを目的とするものである。【解決手段】本発明によれば、ローラースタンプにおいて、印面を構成するローラーと、このローラーを回転可能に固定する内側ケースと、一端に前記内側ケースを固定し、取っ手を構成する外側ケースと、前記ローラーを密閉するキャップと、前記ローラーの印面に含浸させた揮発性インクとを有することを特徴としている。【選択図】    図１
2013233777.tif 000002
【特許請求の範囲】
【請求項１】
印面を構成する印面ローラーと、このローラーを回転可能に固定する内側ケースと、一端に前記内側ケースを固定し、取っ手を構成する外側ケースと、前記ローラーを密閉するキャップと、前記ローラーの印面に含浸させた揮発性インクとを有することを特徴とするローラースタンプ。
【請求項２】
前記外側ケースの他端は略楕円形状の上面を成し、側面に略平坦な部分を構成していることを特徴とする請求項１項記載のローラースタンプ。
【請求項３】
前記キャップは、前記内側ケースの内部に挿入され密封空間を構成する内側キャップ部と、キャップの開閉を行うための外側キャップ部とで構成されることを特徴とする請求項１項記載のローラースタンプ。
【請求項４】
前記内側ケースの外周側壁には溝が形成され、前記内側キャップ部には、この溝に入り込み、この溝の端部に移動させて前記キャップを固定する突起を有することを特徴とする請求項３項記載のローラースタンプ。
【発明の詳細な説明】
【技術分野】
【０００１】
本発明は、ローラースタンプに関するものであって、特にインク溶剤を吸収しない、表面をコーティングされた紙も捺印することが可能なスタンプに関するものである。
【背景技術】
【０００２】
例えば、米国の病院などから提供される医薬を収納する筒上のケースには、氏名や病名、薬品名などが記入されたラベルが貼られている。
このラベルには、インク溶剤を吸収しないコート紙が用いられている。
この医薬を使い切った後に、使用済みのケースを廃棄する場合、上述のラベルに記載された氏名や病名を隠したいという要望がある。
尚、従来、個人情報が記載された書面にスタンプを押すことで、個人情報を読めなくするための製品があるが、これは紙にインク溶剤を浸透させてスタンプの印面のパターンを転写するものである。
このため、従来のスタンプでは上述の医薬品用ケース上のラベルには、インク溶剤が浸透せずインクがはじかれてしまい、個人情報を隠すことができない。
【０００３】
特開２０１１−１４３６２４号には、スタンプの非使用時において誤って印面が露出してしまう事態を防止する技術が開示されている。
しかしながら、このスタンプでは、非使用時の密閉が十分ではなく、通常の紙に、インクを浸透させて捺印するような利用しかできず、インク溶剤を吸収しないコート紙に用いるような揮発性のインクを利用することはできない。
また、この引例の装置は、通常の利用の際には十分小さく携帯可能であるが、円筒形の医薬品用ケース表面に貼られたラベルのようなものに使用するには、装置が大きすぎる。
【０００４】
【特許文献１】特開２０１１−１４３６２４号
【発明の開示】
【発明が解決しようとする課題】
【０００５】
本発明は、インク溶剤が浸透しないコーティングした紙に対しても捺印することが可能なローラースタンプを提供することを目的とするものである。
また、筒状のケースの表面に張られたラベルなどに、容易に捺印することを可能としたローラースタンプを提供することを目的とするものである。
【０００６】
特に、使用していない状態において、印面を強固に密閉状態に保持することを可能とするような構造とすることで、揮発性のインクをローラースタンプに利用可能とすることを目的としている。
【課題を解決するための手段】
【０００７】
上記課題を解決するため、本発明は請求項１に記載するように、ローラースタンプであって、印面を構成する印面ローラーと、このローラーを回転可能に固定する内側ケースと、一端に前記内側ケースを固定し、取っ手を構成する外側ケースと、前記ローラーを密閉するキャップと、前記ローラーの印面に含浸させた揮発性インクとを有することを特徴としている。
【０００８】
また、請求項２に記載するように、前記外側ケースの他端は略楕円形状の上面を成し、側面に略平坦な部分を構成していることを特徴としている。
また、請求項３に記載するように、前記キャップは、前記内側ケースの内部に挿入され密封空間を構成する内側キャップ部と、キャップの開閉を行うための外側キャップ部とで構成されることを特徴としている。
更に、請求項４に記載するように、前記内側ケースの外周側壁には溝が形成され、前記内側キャップ部には、この溝に入り込み、この溝の端部に固定される突起を有することを特徴としている。
【発明の効果】
【０００９】
本発明によれば、インク溶剤が浸透しないコーティングした紙に対して捺印することが可能となり、特に円筒形状の医薬品収納ケースの表面に貼られたラベルなどに対して、簡単に捺印することが可能となる。
【発明を実施するための最良の形態】
【００１０】
以下、本発明を実施するための最良の形態について、図面を参照して詳細に説明する。
【実施例】
【００１１】
以下、図に沿って本発明の一実施例を説明する。
図１は本発明の一実施例の基本構成を示す斜視図である。
１はローラースタンプ本体であり、取っ手を構成する外側ケース２と、印面を構成する印面ローラー４を回転可能に保持する円筒形状の内側ケース３とで構成されている。
印面ローラー４の印面は発泡性の樹脂材で構成されており、この樹脂材には揮発性のインクが含浸されている。
６はキャップであり、円形の開放端が前述の内側ケース３の内部に入り込み、印面ローラー４を密閉に保持するドーム形状の内部キャップ部８と、キャップ６の出し入れのための取っ手を構成する円筒形状の外側キャップ部７とで構成されている。
【００１２】
尚、内側ケース３の側壁には幅広の一端から徐々に幅が狭くなり他端でこの内側ケース３の円周方向と平行となる形状の溝５が形成されており、外側キャップ部６の内側側壁にはこの溝５の一端に入り込み、この溝５の他端部で固定される突起９が設けられている。
本実施例では、突起９及び溝５は、この内側ケース３及び外側キャップ部７の円周方向に沿って、夫々４つ設けられている。
溝５の一端が突起９の横幅よりも幅広に形成されているために、外側キャップ７の突起９を内側ケース３の溝５に容易に挿入することが可能となっており、また、溝５の他端の縦方向の幅が、突起９の縦方向の幅と同じ大きさに形成されているため、キャップ６は強固に固定され、容易に外れることはない。
【００１３】
ローラースタンプ本体１に、キャップ６を取り付けた状態の断面図を図２に示す。尚、キャップ６の構成部品のみ斜線で示している。
キャップ６の内側キャップ部８と外側キャップ部７は、ブリッジ部１０で接続されている。
内側キャップ部８の円形状の開放端が、内側ケース３の内部に設けられた段差部分に接合されることによって、印面ローラー４は密閉状態に保たれる。
内側キャップ部８は、密閉空間を小さくするために、立方体形状ではなく、ドーム状に形成されている。
【００１４】
印面ローラー４は、微細な気孔が形成された発泡性の樹脂材からなり、この印面ローラー４の微細な気孔には揮発性のインクが含浸されている。
本発明では、インクとしては揮発性の溶剤であるジプロピレングリコールモノメチルエーテルを７０パーセントから７５パーセント、顔料のカーボンブラックを９パーセントから１１パーセント、バインダー樹脂を１６パーセントから１８パーセント配合したものを用いている。
揮発性の溶液であるジプロピレングリコールモノメチルエーテルは、例えば、インクジェットプリンタで用いられるインクに用いられるものであるが、インクジェットプリンタのインクと同じ配合では、インクが急激に固化してしまうため、本発明のスタンプに用いることはできない。
このため、本発明では、揮発して固化するまである程度時間を要するように配合を調節している。
しかしながら、従来のスタンプに比較すると、本発明のインクは短時間に印面上で乾燥し固化してしまうため、使用していないときのキャップによる密閉度をより高く保つため、上述のような構造のキャップを用いている。
【００１５】
本実施例装置の上面図を図３に示す。
外部ケース２には、本実施例装置の使用者が持ちやすいように、側面に略平坦な部分１１を構成すべく、上面１２は略楕円形状、あるいはカプセル形状に構成されている。
このように外部ケース２の側面は、上面部から下方に平坦部１１を維持しつつ、下方では徐々に円形となるように流線型状で構成されている。
尚、この平坦部１１は、印面ローラー４の回転軸１３に平行な部分に２つ対象的に設けられている。
【００１６】
図４に、医薬品用ケース１４表面に貼られたラベル１５に本実施例装置によって捺印する際の使用状態を示す。
前述のように、平坦部１１は、印面ローラー４の回転軸１３に平行な部分に設けられているために、この平坦部１１に使用者が親指を配置して持ったときに、医薬品用ケース１４の円筒形の中心軸と印面ローラー４の回転軸が略平行となるため、ラベル１５に捺印することが容易となる。
【００１７】
本実施例装置においては、外側ケース２と内側ケース３は、圧入により固定されており、印面ローラー４は、内側ケースから取り外しができない構造となっている。
これは、印面ローラー４を着脱可能として、インクが無くなったら印面ローラーを交換して使用可能としても、交換用の印面ローラー４だけのコストと、ローラースタンプ製品のコストを比較した場合、殆ど差が出ないことに起因する。
本実施例装置は、極めて簡単な構造を採用しており、出来る限り部品点数を削減しているため、低コスト化がなされ、安価に利用者に提供可能となっている。
【００１８】
印面ローラー４の印面には、アルファベットがランダムに配置されたパターンが刻印されており、この印面により捺印した部分は、読取が困難となる。
尚、本実施例では、ラベルに記載された個人情報を読み難くするためのスタンプとしているが、印面を氏名や社名、或いは秘密といった文字を刻印することにより、通常の用途のスタンプとしての利用も可能である。
【００１９】
また、本実施例装置は、医薬品用ケースのラベルへの捺印用に最適な印面ローラーの大きさとして、横幅を２ｃｍ以下としている。
また、キャップを取り付けた上体での大きさは、底面の直径が４ｃｍ以下、縦の長さを８ｃｍ以下としている。
このような小型化のため、持ち運びが容易となっている。
【００２０】
本発明は、上述の実施例に限定されるものではなく、例えば、本発明装置の大きさは上述の実施例より大きく、あるいは小さくしてもよい。
また、外形形状も本実施例に限定されるものではない。
また、キャップの構造、及びその取り付け構造も種々変更可能である。
例えば、図５に示すように、外形形状を略直方体形状としてもよい。
この場合は、上述の実施例のようにキャップ６を溝５に沿って捻るように取り付けるのではなく、キャップ６の外側キャップ部に設けられた球状の突起９を、これに対応したドーム形状の溝５に治まるまで、真っ直ぐに押し込んで取り付けることとなる。
【産業上の利用可能性】
【００２１】
本発明は、例えば円筒形状の医薬品ケースの表面に貼られた、インク溶剤を吸収しない紙の上に記載された個人情報を、読み難くするための利用に適したローラースタンプを提供するものである。
【図面の簡単な説明】
【００２２】
【図１】図１は、本発明の実施例の形態に係る基本構成を示す斜視図である。
【図２】図２は、本発明の実施例の形態に係るローラースタンプ本体とキャップとの接合状態を説明するための断面図である。
【図３】図３は、本発明の実施例の形態に係る上面図である。
【図４】図４は、本発明の実施例のローラースタンプを使用する状態を説明するための説明図である。
【図５】図５は、本発明の他の実施例の形態に係る基本構成を示す斜視図である。
【符号の説明】
【００２３】
１：スタンプ本体
２：外側ケース
３：内側ケース
４：印面ローラー
５：溝
６：キャップ
７：外側キャップ部
８：内側キャップ部
９：突起
【図１】
2013233777.tif 000003
【図２】
2013233777.tif 000004
【図３】
2013233777.tif 000005
【図４】
2013233777.tif 000006
【図５】
2013233777.tif 000007